(57)【要約】【課題】ユーザが撮像装置をグリップする際に、通風部を誤って塞いでしまうのを防止するとともに、撮像装置をグリップし易くする構造を提供する。【解決手段】カメラ１００は、カメラ筐体２００と、カメラ筐体２００の光軸方向の背面側に設けられ、ユーザの親指により押し込み操作が可能な録画ボタン１１６と、カメラ筐体２００の光軸と略平行な面に設けられ、ユーザがグリップする際に手のひらが接触するグリップ主要面１１４ａを有する第１グリップ部１１４と、録画ボタン１１６が配置された面から第１グリップ部１１４の側に延出して設けられ、グリップ主要面１１４ａより前記光軸と直交する方向に突出する形状を有して、録画ボタン１１６を押し込み操作する親指と人差し指によりグリップされる第２グリップ部１１５と、を備える。第２グリップ部１１５には、カメラ１００の内部を冷却して放熱するための空気の排気口１０９が設けられている。【選択図】図１
2019008053.tif 000002
【特許請求の範囲】
【請求項１】
筐体と、
前記筐体の光軸方向における背面側に設けられ、ユーザの親指により押し込み操作が可能な操作ボタンと、
光軸と略平行な面に設けられ、ユーザがグリップする際に手のひらが接触するグリップ主要面を有する第１グリップ部と、
前記操作ボタンが配置された面から前記第１グリップ部の側に延出して設けられ、前記グリップ主要面より前記光軸と直交する方向に突出する形状を有して、前記操作ボタンを押し込み操作する親指と人差し指によりグリップされる第２グリップ部と、を備え、
前記第２グリップ部には、撮像装置の内部を冷却して放熱するための空気の通風部が設けられていることを特徴とする撮像装置。
【請求項２】
前記通風部は、撮像装置の内部の熱を奪った空気が排気される排気口であることを特徴とする請求項１に記載の撮像装置。
【請求項３】
前記操作ボタンは、録画ボタンであることを特徴とする請求項１又は２に記載の撮像装置。
【請求項４】
前記第１グリップ部および前記第２グリップ部をグリップするユーザの手を保持するためのグリップベルトが取り付けられる第１グリップベルトホルダと第２グリップベルトホルダとを有し、
前記第１グリップベルトホルダは、前記第２グリップ部の領域で前記通風部より前記第１グリップ部の側に設けられ、
第２グリップベルトホルダは、前記第１グリップ部より前記筐体の正面側に設けられていることを特徴とする請求項１乃至３のいずれか一項に記載の撮像装置。
【請求項５】
前記第１グリップベルトホルダと前記第２グリップベルトホルダとは、前記撮像装置の内部を冷却して放熱するための空気の流路が形成された送風ダクトに機械的に接続されることを特徴とする請求項４に記載の撮像装置。
【請求項６】
前記第１グリップベルトホルダと前記第２グリップベルトホルダとは、金属部材の少なくとも一部が樹脂により覆われて構成されていることを特徴とする請求項５に記載の撮像装置。
【請求項７】
前記第１グリップベルトホルダおよび前記第２グリップベルトホルダの前記金属部材は、少なくとも一回の曲げ加工が施された状態で前記送風ダクトに機械的に接続されることを特徴とする請求項６に記載の撮像装置。
【請求項８】
前記第１グリップベルトホルダおよび前記第２グリップベルトホルダには、それぞれグリップベルトを通す穴部とストラップベルトを通す穴部が形成されていることを特徴とする請求項４乃至７のいずれか一項に記載の撮像装置。
【請求項９】
前記ストラップベルトを通す穴部は、前記グリップベルトを通す穴部より上側に配置されていることを特徴とする請求項８に記載の撮像装置。
【請求項１０】
前記ストラップベルトを通す穴部は、前記光軸と直交する前記撮像装置の高さ方向に長い長穴形状であり、前記グリップベルトを通す穴部は、前記ストラップベルトを通す穴部に対して上端側が前記撮像装置の幅方向外側に傾く長穴形状とされていることを特徴とする請求項９に記載の撮像装置。
【請求項１１】
前記第１グリップベルトホルダに形成された前記ストラップベルトを通す穴部と前記第２グリップベルトホルダに形成された前記ストラップベルトを通す穴部とは、前記光軸を間に挟んで前記撮像装置の高さ方向に互いに離間して配置されていることを特徴とする請求項８乃至１０のいずれか一項に記載の撮像装置。
【発明の詳細な説明】
【技術分野】
【０００１】
本発明は、例えばデジタルカメラやデジタルビデオカメラ等の撮像装置に関する。
【背景技術】
【０００２】
デジタルビデオカメラ等の撮像装置では、近年の撮像素子の高画素化に伴い消費電力が増大し、撮像素子に対するより高い放熱効果を持った構造が求められている。例えば、ファンと送風ダクトで形成された空気循環路によって撮像素子の熱をカメラ本体内に循環させ、更に空気循環路の一部を放熱部材で形成して放熱部材に伝達された熱をカメラ本体に設けた貫通穴を介して外気に放熱する構造が提案されている（特許文献１）。一方、撮像装置体内のメイン基板をファンと送風ダクトを用いて冷却する構造が提案されている（特許文献２）。
【先行技術文献】
【特許文献】
【０００３】
【特許文献１】特開２００９−７１７２２号公報
【特許文献２】特開２００８−１０３４９１号公報
【発明の概要】
【発明が解決しようとする課題】
【０００４】
しかしながら、上記従来技術では、ユーザが撮像装置をグリップ（把持）する際に、外装に形成された排気口等の通風部を誤って手で塞いでしまう可能性がある。また、通風部を手で塞がないように気にしながら撮像装置をグリップして撮影しなければならず、撮像装置をグリップしにくいという問題もある。
【０００５】
そこで、本発明は、ユーザが撮像装置をグリップする際に、通風部を誤って手で塞いでしまうのを防止することができるとともに、撮像装置をグリップし易くすることができる技術を提供することを目的とする。
【課題を解決するための手段】
【０００６】
上記目的を達成するために、本発明の撮像装置は、筐体と、前記筐体の光軸方向における背面側に設けられ、ユーザの親指により押し込み操作が可能な操作ボタンと、光軸と略平行な面に設けられ、ユーザがグリップする際に手のひらが接触するグリップ主要面を有する第１グリップ部と、前記操作ボタンが配置された面から前記第１グリップ部の側に延出して設けられ、前記グリップ主要面より前記光軸と直交する方向に突出する形状を有して、前記操作ボタンを押し込み操作する親指と人差し指によりグリップされる第２グリップ部と、を備え、前記第２グリップ部には、撮像装置の内部を冷却して放熱するための空気の通風部が設けられていることを特徴とする。
【発明の効果】
【０００７】
本発明によれば、ユーザが撮像装置をグリップする際に、通風部を誤って手で塞いでしまうのを防止することができるとともに、撮像装置をグリップし易くすることができる。
【図面の簡単な説明】
【０００８】
【図１】（ａ）は本発明の撮像装置の実施形態の一例であるデジタルビデオカメラを背面側から見た斜視図、（ｂ）は（ａ）に示すデジタルビデオカメラを正面側から見た斜視図である。
【図２】図１（ａ）に示すデジタルビデオカメラにバッテリを取り付けた状態を示す斜視図である。
【図３】（ａ）はデジタルビデオカメラの内部構造を背面側から見た斜視図、（ｂ）はデジタルビデオカメラの内部構造を正面側から見た斜視図である。
【図４】図３（ａ）の部分拡大図である。
【図５】撮像ユニットの角度調整方法を説明する図である。
【図６】（ａ）はセンサユニットが取り付けられたカメラ筐体に対してホルダ板金及びセンサダクトユニットを取り付けた状態を示す斜視図、（ｂ）はセンサダクトユニットの分解斜視図である。
【図７】図６（ａ）の背面図である。
【図８】図７のＰ−Ｐ線断面拡大図である。
【図９】図６の状態から更にメイン基板、メインダクト、メインダクト蓋、及び冷却ファンを取り付ける状態を示す分解斜視図である。
【図１０】（ａ）は図９の組立体を矢印Ｘ方向から見た図、（ｂ）は（ａ）のＱ−Ｑ線断面図である。
【発明を実施するための形態】
【０００９】
以下、図面を参照して、本発明の実施形態の一例を説明する。
【００１０】
図１（ａ）は本発明の撮像装置の実施形態の一例であるデジタルビデオカメラを背面側から見た斜視図、図１（ｂ）は図１（ａ）に示すデジタルビデオカメラを正面側から見た斜視図である。図２は、図１（ａ）に示すデジタルビデオカメラにバッテリを取り付けた状態を示す斜視図である。なお、図において、Ｚは、光軸を示しており、被写体側（正面側）を＋Ｚ方向、撮影者側（背面側）を−Ｚ方向として説明する。
【００１１】
図１に示すように、本実施形態のデジタルビデオカメラ１００（以下、カメラ１００という。）は、正面側にレンズ部３００が配置され、レンズ部３００の外周部には、マニュアルフォーカス等の操作が可能な操作リング１０３が設けられている。カメラ１００の背面側から見て左側の側部には、ＬＣＤ等からなる表示部１０１が開閉可能に支持されている。
【００１２】
カメラ１００の背面側には、ファインダ部１０２、バッテリ室１０４、バッテリリリーススイッチ１０５、録画ボタン１１６、バッテリ取り付けガイド１０６ａ，１０６ｂ、バッテリ室吸気口１０７、及びバッテリロック部１１３ａ，１１３ｂが設けられている。なお、バッテリ取り付けガイド１０６ａ，１０６ｂは、図示は省略するが、バッテリ室１０４内で対向する側にも同様のものが設けられている。
【００１３】
カメラ１００を正面側から見て左側の側部には、ユーザが把持するグリップ主要面１１４ａを有する第１グリップ部１１４が設けられている。第１グリップ部１１４のカメラ１００の正面側には、メイン吸気口１０８ａ，１０８ｂが設けられ、第１グリップ部１１４のカメラ１００の背面側には、第２グリップ部１１５及び排気口１０９が設けられている。また、カメラ１００の上面部において、正面側にはマイク部１１０が設けられ、背面側にはズームキー１１１が設けられている。
【００１４】
第２グリップ部１１５の領域における排気口１０９の第１グリップ部１１４側には、第１グリップベルトホルダ１１７が設けられている。第１グリップベルトホルダ１１７には、不図示のグリップベルトを通す穴部１１７ａと、不図示のストラップベルトを通す穴部１１７ｂとが形成されており、穴部１１７ｂは、穴部１１７ａの上側に配置されている。
【００１５】
また、第１グリップ部１１４のメイン吸気口１０８ｂ側には、第２グリップベルトホルダ１１８が設けられている。第２グリップベルトホルダ１１８には、グリップベルトを通す穴部１１８ａと、ストラップベルトを通す穴部１１８ｂとが形成されており、穴部１１８ｂは、穴部１１８ａの上側に配置されている。
【００１６】
穴部１１７ａと穴部１１８ａに通されるグリップベルトは、ユーザがカメラ１００をグリップする手を保持するためのベルトである。また、穴部１１７ｂと穴部１１８ｂにストラップベルトの両端を通し、それぞれをカメラ１００に固定する。これにより、ユーザがストラップベルトを肩に掛けて持ち運ぶことが可能となる。
【００１７】
また、グリップベルトを通す穴部１１７ａとストラップベルトを通す穴部１１７ｂは、同一部品である第１グリップベルトホルダ１１７に形成され、かつ近傍に配置される。これにより、穴部１１７ａと穴部１１７ｂを別々に離れた位置に形成するよりもカメラ１００に強度を必要とする個所が減り、小型化が可能となる。同様に、グリップベルトを通す穴部１１８ａとストラップベルトを通す穴部１１８ｂについても同一部品である第２グリップベルトホルダ１１８に形成され、かつ近傍に配置される。これにより、穴部１１８ａと穴部１１８ｂを別々に離れた位置に配置するよりもカメラ１００に強度を必要とする個所が減り、小型化が可能となる。
【００１８】
ストラップベルトを通す穴部１１７ｂ，１１８ｂは、グリップベルトを通す穴部１１７ａ，１１８ａのカメラ１００の高さ方向の上側に配置されている。ストラップベルトを通す穴部１１７ｂと穴部１１８ｂは、光軸（Ｚ軸）に直交するカメラ１００の高さ方向（上下方向）に長い長穴形状とされている。グリップベルトを通す穴部１１７ａと穴部１１８ａは、ストラップベルトを通す穴部１１７ｂと穴部１１８ｂに対して上端側がカメラ１００の幅方向外側に傾く長穴形状とされている。これにより、ユーザは、グリップベルトとストラップベルト各々の使用感を損なうことがなく各ベルトを使用することができる。
【００１９】
また、ストラップベルトを通す穴部１１７ｂと穴部１１８ｂとは、光軸（Ｚ軸）を間に挟んでカメラ１００の上下方向に互いに離間して配置されている。光軸はカメラ筐体２００の略重心近傍に配置されているため、ストラップベルトを使用してユーザがカメラ１００を持ち運ぶ際、カメラ１００が安定して持ち運び易い。
【００２０】
カメラ１００は、バッテリ室吸気口１０７において矢印Ａ方向から外気を吸気し、メイン吸気口１０８ａ，１０８ｂにおいて矢印Ｂ，Ｃ方向から外気を吸気し、排気口１０９において矢印Ｄ方向へと排気することにより、カメラ１００内部を冷却する。Ｄ方向とは、録画ボタン１１６の押し込み方向（光軸方向）と略直交するカメラ１００の幅方向外方向である。録画ボタン１１６は、本発明の操作ボタンの一例に相当する。
【００２１】
また、グリップ主要面１１４ａは、第１グリップ部１１４の一部であり、ユーザの手のひらが主に接触する面である。第２グリップ部１１５は、カメラ１００の録画ボタン１１６が配置された面からＤ方向に延出して設けられた延設部１１５ａを備え、延設部１１５ａは、光軸方向から見てグリップ主要面１１４ａからＤ方向に突出した形状を有する。ユーザは、第２グリップ部１１５を親指と人差し指で挟んでグリップするとともに、グリップ主要面１１４ａに手の平を当てて第１グリップ部１１４を人指し指から小指の各指でグリップすることで、カメラ１００を容易にグリップすることが可能である。また、カメラ１００をグリップした状態で容易に録画ボタン１１６を押し操作することができる。
【００２２】
更に、通風部である排気口１０９は、第２グリップ部１１５に配置されるため、カメラ１００をグリップした状態では、排気口１０９は、親指と人差し指との間の空間に配置されることになる。このため、ユーザがカメラ１００をグリップする際に、排気口１１９を誤って塞いでしまうのを防止することができる。具体的には、第２グリップ部１１５の領域で排気口１０９より被写体側に第１グリップベルトホルダ１１７が配置され、第１グリップベルトホルダ１１７と第２グリップベルトホルダ１１８との間にグリップ主要面１１４ａが配置される。
【００２３】
これにより、第１グリップベルトホルダ１１７がユーザの人差し指と排気口１０９との間に配置されることになり、カメラ１００をグリップしたユーザの人さし指が排気口１０９を塞ぐのを防止することができる。また、不図示のグリップベルト自体も排気口１０９を塞ぎにくい配置となる。
【００２４】
更に、第１グリップベルトホルダ１１７は、強度を確保するための金属部材の表面の少なくとも一部を樹脂で覆う構成となっている。少なくとも一部とは、ユーザの手等が触れる可能性がある個所を含む。樹脂は、熱伝導性が低いため、排気口１０９から排気された熱風が第１グリップベルトホルダ１１７にあたっても第１グリップベルトホルダ１１７が熱くなりくい。これにより、第１グリップベルトホルダ１１７は、強度を確保しつつ、ユーザが第１グリップベルトホルダ１１７を触っても熱による不快感をユーザに与えにくい構成となる。
【００２５】
バッテリロック部１１３ａ，１１３ｂは、通常状態では、不図示の弾性部材により−Ｚ方向に付勢され、バッテリ室１０４から突出している。バッテリリリーススイッチ１０５は、＋Ｚ方向に操作可能なスライドスイッチであり、また、バッテリリリーススイッチ１０５とバッテリロック部１１３ａ，１１３ｂは一体化されている。このため、バッテリリリーススイッチ１０５のスライド操作とともに、バッテリロック部１１３ａ，１１３ｂをバッテリ室１０４から突出しない位置に引っ込ませることができる。
【００２６】
図２に示すように、バッテリ１１２は、バッテリ室１０４に着脱可能に装着される。かかる装着状態においては、バッテリ１１２に設けられた不図示の爪部がバッテリ室１０４内に設けられたバッテリ取り付けガイド１０６ａ，１０６ｂに係合することによりバッテリ１１２の−Ｚ方向への移動が規制される。
【００２７】
また、バッテリ室１０４から突出したバッテリロック部１１３ａ，１１３ｂがバッテリ１１２の底面部１１２ａを支えることにより抜け止めとなって、バッテリ１１２がバッテリ室１０４に保持される。この状態（図２）では、バッテリ室吸気口１０７は外観に露出しているため、バッテリ１１２の装着状態においても、バッテリ室吸気口１０７からの外気の吸気が可能である。
【００２８】
次に、図３及び図４を参照して、カメラ１００の内部構造について説明する。図３（ａ）はカメラ１００の内部構造を背面側から見た斜視図、図３（ｂ）はカメラ１００の内部構造を正面側から見た斜視図である。図４は、図３（ａ）の部分拡大図である。
【００２９】
図３に示すように、カメラ筐体２００には、後述するホルダ板金５００（図７参照）をビス止めする為のホルダ取り付けボス２０１ａ〜２０１ｋ、及びセンサ取り付けボス２０２ａ〜２０２ｃが設けられている。図４に示すように、センサ取り付けボス２０２ａ〜２０２ｃの外側には、センサ取り付けボス２０２ａ〜２０２ｃの外形より一回り大きい同心円状の凹形状部２１８ａ〜２１８ｃが設けられている。凹形状部２１８ａ〜２１８ｃには、調整コイルバネ２１６ａ〜２１６ｃがセンサ取り付けボス２０２ａ〜２０２ｃの外形に沿って嵌るように取り付けられる。
【００３０】
また、カメラ筐体２００の背面側の端面には、撮像ユニット２６０が、カメラ筐体２００に設けられた位置決めピン２０３ａ，２０３ｂにセンサ取り付け板金２０８の位置決め穴２１０ａ，２１０ｂを嵌め込んで位置決めされた状態で取り付けられる。センサ取り付け板金２０８には、センサ基板２０７に実装された撮像素子２０６が接着剤等により固定されて一体化される。
【００３１】
また、センサ基板２０７に実装された接続コネクタ２１７は、後述するメイン基板９０１（図９参照））に電気的に接続され、撮像素子２０６から得た画像情報をメイン基板９０１へと送ることができる。センサ基板２０７の撮像素子２０６と反対側の面は、一部が銅箔露出部２１２となっており、この銅箔露出部２１２には、銅箔露出部２１２より一回り小さいシート状の熱伝導粘着部材２１３が貼り付けられている。熱伝導粘着部材２１３には、放熱フィン２１４が、そのフランジ面の一部又は全部が撮像素子２０６と光軸方向に重なるように貼り付けられる。これにより、放熱フィン２１４は熱伝導粘着部材２１３を介して銅箔露出部２１２と熱接続され、センサ基板２０７で発生した熱が放熱フィン２１４へと伝熱される。
【００３２】
また、カメラ筐体２００に取り付けられた撮像ユニット２６０は、調整ビス２１５ａ〜２１５ｃをセンサ取り付け板金２０８の貫通穴２０９ａ〜２０９ｃを挿入してセンサ取り付けボス２０２ａ〜２０２ｃに締結することにより、仮固定される。そして、この状態で撮像ユニット２６０の角度調整を行った後、接着剤等により撮像ユニット２６０がカメラ筐体２００に本固定される。
【００３３】
次に、図５を参照して、撮像ユニット２６０の角度調整方法について説明する。て説明する。図５（ａ）は撮像ユニット２６０を仮固定した状態でのカメラ筐体２００の背面図、図５（ｂ）は図５（ａ）のＭ−Ｍ線断面拡大図、図５（ｃ）は撮像ユニット２６０の角度調整時の図５（ａ）のＭ−Ｍ線断面拡大図である。
【００３４】
図５（ｂ）の状態では、撮像ユニット２６０は、調整コイルバネ２１６ａにより−Ｚ方向の付勢力を受けている。この状態で調整ビス２１５ａを緩めると、調整コイルバネ２１６ａの付勢力によって撮像ユニット２６０もその分押し上げられ、図５（ａ）で示す調整ビス２１５ｂ，２１５ｃで支持された部分（Ｎ軸）を中心とした傾きが生じ、図５（ｃ）に示す状態になる。
【００３５】
同様にして、調整ビス２１５ｂ，２１５ｃを緩めると、調整コイルバネ２１６ｂ，２１６ｃの付勢力により、撮像ユニット２６０がその分押し上げられて傾きが生じる。このようにして、調整ビス２１５ａ〜２１５ｃの緩み量を各々調整することにより、撮像ユニット２６０を任意の位置及び姿勢へ調整することが可能となる。
【００３６】
図６（ａ）は撮像ユニット２６０が取り付けられたカメラ筐体２００に対してホルダ板金５００及びセンサダクトユニット４００を取り付けた状態を示す斜視図、図６（ｂ）はセンサダクトユニット４００の分解斜視図である。
【００３７】
図６（ａ）に示すように、カメラ筐体２００のホルダ取り付けボス２０１ａ〜２０１ｋ（図３参照）に対応する位置にホルダ板金５００がビス５０１ａ〜５０１ｋ（ビス５０１ｇ〜５０１ｋは不図示）によって取り付けられている。また、センサダクトユニット４００は、ホルダ板金５００に対して撮像ユニット２６０を覆うようにビス６０１ａ〜６０１ｃによって取り付けられている。
【００３８】
センサダクトユニット４００は、図６（ｂ）に示すように、センサダクト４０１、センサダクト蓋４０２、弾性部材４０４、吸気口弾性部材４１２、及び排気口弾性部材４１３を有し、センサダクト蓋４０２には、開口部４０３が設けられている。開口部４０３は、組立状態において放熱フィン２１４のフィン部２１４ｂの先端を挿入可能な開口面積が確保されている。弾性部材４０４は、不図示の両面テープ等を介してセンサダクト蓋４０２に貼り付けられる。
【００３９】
また、弾性部材４０４の開口部４０７の開口面積は、センサダクト蓋４０２の開口部４０３よりも大きくなっている。弾性部材１０４は、センサダクト蓋４０２の開口部４０３の周囲に沿って開口部４０３を囲むように配置される。センサダクト４０１とセンサダクト蓋４０２は、ビス４０６ａ〜４０６ｂがセンサダクト蓋４０２の貫通穴４０８ａ〜４０８ｂを通ってボス４０９ａ〜４０９ｂで締結されることにより一体化される。
【００４０】
また、センサダクト４０１には、吸気口４１０と排気口４１１が設けられ、吸気口４１０と排気口４１１には、それぞれ例えばスポンジ等の熱伝達率の低い吸気口弾性部材４１２と排気口弾性部材４１３が不図示の両面テープ等により貼り付けられている。なお、吸気口４１０は、バッテリ室吸気口１０７に対応している。
【００４１】
次に、図７及び図８を参照して、センサダクトユニット４００を用いた撮像ユニット２６０の放熱構造について説明する。図７は、図６（ａ）の背面図である。図８（ａ）は、図７のＰ−Ｐ線断面拡大図である。
【００４２】
図８（ａ）に示すように、センサダクト４０１の内壁面には、放熱フィン２１４とＺ方向に対向し、フィン部２１４ｂの先端との隙間を確保するために凹形状とした領域である凹面部４０１ａと、それ以外の領域である平面部４０１ｂとが設けられている。フィン部２１４ｂの先端から凹面部４０１ａまでの距離ｈ０は、撮像ユニット２６０の傾き角度の調整により変位する撮像ユニット２６０の光軸方向の変位量よりも大きい距離に設定されている。具体的には、撮像ユニット２６０の傾き角度の調整によるフィン部２１４ｂ先端の移動や衝撃等による凹面部４０１ａの変形等によりフィン部２１４ｂと凹面部４０１ａとが接触しないよう十分な距離が確保されている。
【００４３】
また、放熱フィン２１４のフランジ面２１４ａとセンサダクト蓋４０２との間では、弾性部材４０４がチャージされた状態で組み付けられている。弾性部材４０４のチャージ量は、撮像ユニット２６０が前述した角度調整に伴って±Ｚを含むどちらの方向に移動したとしても、外部に対する密閉性が保たれるよう十分に確保されている。
【００４４】
センサダクトユニット４００は、図７に示すように、吸気口４１０において、バッテリ室吸気口１０７（図１（ａ）参照）と吸気口弾性部材４１２を介して接続されている。この為、バッテリ室吸気口１０７から吸気された空気は、吸気口４１０へ図７の矢印Ｅ方向に流入し、途中で放熱フィン２１４を通過してセンサ基板２０７の熱を奪い（図８（ａ））、そのまま矢印の方向に沿って流れて、排気口４１１から矢印Ｆ方向へ排気される。
【００４５】
なお、図８（ｂ）に示すように、平面部４０１ｃを全体的に放熱フィン２１４から離すと、流入空気が放熱フィン２１４の領域を通過する際に、通風抵抗差により放熱フィン２１４の間よりフィン部２１４ｂの先端と平面部４０１ｃの間の領域で多く流れてしまう。これに対して、図８（ａ）に示すように、凹面部４０１ａを設けることによって空気の流れが限定され、より放熱フィン２１４のフィン部２１４ｂに積極的に空気をあてることができる。
【００４６】
また、図８（ｃ）に示すように、センサダクト４０１に、凹面部４０１ａの領域とフィン部２１４ｂとの間で空気の流れを妨げる、例えば空気の流れ方向と直交する方向にリブ４０１ｄを形成すると、図８（ａ）に比べて距離ｈ０の領域に空気が流れにくくなる。これにより、積極的にフィン部２１４ｂに空気をあてることができる。リブ４０１ｄは、互いに隣り合うフィン部２１４ｂの間に配置されている。
【００４７】
なお、フィン部２１４ｂとリブ４０１ｄの光軸方向に直交する距離ｈ１についても、前述したように、撮像ユニット２６０の角度調整によるフィン部２１４ｂの先端の移動や衝撃等による凹面部４０１ａの変形等を考慮し、十分距離を確保することが望ましい。
【００４８】
次に、図９及び図１０を参照して、メインダクト９０２を用いたメイン基板９０１の放熱構造について説明する。図９は、図６の状態から更にメイン基板９０１、メインダクト９０２、メインダクト蓋９０３、及び冷却ファン９０４を取り付ける状態を示す分解斜視図である。図１０（ａ）は図９の組立体を矢印Ｘ方向から見た図、図１０（ｂ）は図１０（ａ）のＱ−Ｑ線断面図である。なお、図１０（ａ）では、説明の便宜上、メインダクト蓋９０３の図示は省略している。
【００４９】
図９に示すように、メイン基板９０１は、カメラ筐体２００の側面に略平行、すなわちセンサ基板２０７が配置された平面に対して略直角に交差する平面上に配置されている。メイン基板９０１のホルダ板金５００に面する側は、不図示の伝熱性弾性部材を介してホルダ板金５００と熱接続される。また、メイン基板９０１のメインダクト９０２に面する側は、同様に、不図示の伝熱性弾性部材を介してメインダクト９０２と熱接続される。
【００５０】
これにより、メイン基板９０１で発生した熱は、ホルダ板金５００を介してカメラ１００内部に拡散される経路と、メインダクト９０２を介して強制空冷により外部に排気される経路との２通りの経路により放熱される。また、ホルダ板金５００を介してカメラ１００内部に熱を拡散する効果をより高める為、ホルダ板金５００は、例えばアルミ合金等の熱伝達率の高い材料を用い、かつ出来る限りカメラ筐体２００の周囲を取り囲むようにして面積が多くとられている。メインダクト９０２は、本発明の送風ダクトの一例に相当する。
【００５１】
メインダクト９０２は、放熱フィン９０２ａと、メイン基板９０１に略平行でかつ放熱フィン９０２ａの形成されている平面部９０２ｂ（図１０（ｂ））とを有する。メインダクト蓋９０３は、図１０（ｂ）に示すように、冷却ファン９０４との間に空気を流すための開口部９０３ａ、放熱フィン９０２ａと対向する平面部９０３ｂ、及びメインダクト９０２の放熱フィン９０２ａのない領域と対向する平面部９０３ｃとを有する。なお、冷却ファン９０４は、例えば遠心ファンにより構成される。また、冷却ファン９０４は、メイン基板に対して回転軸Ｐが略直交するようにメインダクト９０２に取り付けられている。
【００５２】
ここで、メインダクト９０２の平面部９０２ｂからメインダクト蓋９０３の平面部９０３ｂまでの距離（放熱フィン９０２ａの高さ）をｈ２、平面部９０２ｂからメインダクト蓋９０３の平面部９０３ｃまでの距離をｈ３とする。
【００５３】
メインダクト９０２内の空気の流れは、まず図１０（ｂ）に示す矢印Ｂ方向及び矢印Ｃ方向から吸気口９０２ｃ，９０２ｄを介して吸気され、吸気された空気は、平面部９０２ｂと平面部９０３ｂの間の空間を通過する。平面部９０２ｂと平面部９０３ｂの間の空間を通過する空気は、放熱フィン９０２ａから熱を奪い、平面部９０２ｂと平面部９０３ｃの間の空間を通過し、冷却ファン９０４へと流れて排気口９０４ａから矢印Ｄ方向へ排気される。吸気口９０２ｃ，９０２ｄは、図１（ｂ）の吸気口１０８ａ，１０８ｂに対応し、排気口９０４ａは、図１（ｂ）の排気口１０９に対応している。
【００５４】
ところで、空気の通風抵抗は、主に流路の断面積で決まるため、放熱フィン９０２ａの配置されている領域は、放熱フィン９０２ａの断面積分流路が狭くなる。このため、放熱フィン９０２ａの配置されている領域と配置されていない領域の流路断面積を同一とすると、放熱フィン９０２ａの配置されていない領域は、放熱フィン９０２ａの断面積分高さ方向の寸法を抑えることができる（ｈ２−ｈ３）。
【００５５】
この結果、冷却ファン９０４を光軸に近づけて、換言すると、放熱フィン９０２ａより低い位置に配置することができ、冷却ファン９０４を含むメインダクト９０２の小型化が可能となる。また、冷却ファン９０４を含むメインダクト９０２の放熱構造が小型化されて第１グリップ部１１４の内部に配置されると、第１グリップ部１１４を光軸に近づけることができ、カメラ１００の重心位置と第１グリップ部１１４が近づき、持ちやすさが向上する。
【００５６】
また、メインダクト９０２には、センサダクトユニット４００の排気口４１１と接続するためのダクト接続開口部９０５が設けられている。ダクト接続開口部９０５は、図１０（ｂ）の矢印Ｂ方向及び矢印Ｃ方向から冷却ファン９０４へと流れていく空気の流れに対して、冷却ファン９０４の回転軸Ｐを挟んで反対側に配置されている。これにより、矢印Ｂ方向及び矢印Ｃ方向から冷却ファン９０４に向かう空気の流れと、センサダクトユニット４００の排気口４１１から冷却ファン９０４へ向かう矢印Ｆ方向の空気の流れが互いを邪魔することなく冷却ファン９０４へと導かれる。この為、効率よく２方向からの空気の流れを合流させて排気することが可能となる。
【００５７】
また、放熱フィン９０２ａを通過して暖められた空気は、冷却ファン９０４へと流れていくため、冷却ファン９０４を挟んで放熱フィン９０２ａと反対側にあるダクト接続開口部９０５の方には流れにくい。更に、排気口４１１とダクト接続開口部９０５とはメインダクト９０２及びセンサダクト４０１より熱伝導率の低い排気口弾性部材４１３を介してのみ接触している。この為、メインダクト９０２の熱がダクト接続開口部９０５を介してセンサダクトユニット４００の方へと伝わるのを最小限に抑えることができる。
【００５８】
また、メインダクト９０２は、高熱伝導性及び高剛性のアルミダイキャスト部品で形成されている。第１グリップベルトホルダ１１７と第２グリップベルトホルダ１１８は、メインダクト９０２にねじ等で機械的に接続されて固定される。これにより、第１グリップベルトホルダ１１７と第２グリップベルトホルダ１１８は、一体の高剛性部品であるメインダクト９０２と機械的に接続されるため、高い強度を持つ。
【００５９】
また、第１グリップベルトホルダ１１７と第２グリップベルトホルダ１１８の金属部分は、少なくとも一回の曲げ加工が施された状態でメインダクト９０２にねじ等で機械的に接続されて固定される。これにより、カメラ１００を落下した際などに、第１グリップベルトホルダ１１７と第２グリップベルトホルダ１１７からメインダクト９０２に伝わる衝撃を緩和できる。
【００６０】
以上説明したように、本実施形態では、ユーザがカメラ１００をグリップする際に、通風部である排気口１０９を誤って手で塞いでしまうのを防止することができるとともに、カメラ１００をグリップし易くすることができる。
【００６１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６２】
１００  カメラ
１０９  排気口
１１４  第１グリップ部
１１４ａ  グリップ主要面
１１５  第２グリップ部
１１６  録画ボタン
２００  カメラ筐体
【図１】
2019008053.tif 000003
【図２】
2019008053.tif 000004
【図３】
2019008053.tif 000005
【図４】
2019008053.tif 000006
【図５】
2019008053.tif 000007
【図６】
2019008053.tif 000008
【図７】
2019008053.tif 000009
【図８】
2019008053.tif 000010
【図９】
2019008053.tif 000011
【図１０】
2019008053.tif 000012